(57)【要約】      （修正有）【課題】  安価な永久磁石で強力な磁力を与え、安価で水処理効果が高く持続性のある水の磁気処理装置を提供する。【解決手段】  磁気処理装置へ供給する水の流入口の面積の数分の一から数十分の一の小面積の複数の分流流入口を有する流入口分流部２を設け、分流流入口に接続した複数の細管５を対向異極同士の磁石４で挟み、流入した水が抵抗なく異極磁石間による強磁力で且つ多量の磁力線を横切ることにより磁気処理が効果的に行われる水の磁気処理装置。【選択図】          図１
2007069192.tif 000002
【特許請求の範囲】
【請求項１】
永久磁石（４）のＮ極面同士を向かい合わせ、それらの間に磁性体の金属板（８）を磁極片として挟み、Ｎ極面の裏のＳ極面にもう１個の永久磁石（４）のＳ極面を向かい合わせて、それらの間に磁性体の金属板（８）を磁極片として挟み、同じく磁性体の金属板（８）を挟みつつ磁極を交互に変えながら複数個の永久磁石（４）を積層させて一本の磁石積層柱を構成し、磁気処理装置へ供給する水の流入口（１）に流入口分流部（２）を接続させ、その流入口分流部（２）には流入口（１）の面積に見合う、流入口（１）の面積より小さな面積を有する複数の分流流入口（３）を設け、それぞれの兮分流流入口（３）に非磁性体の細管（５）を接続し、複数の細管（５）を２本の磁石積層柱で挟み、向かい合った磁石積層柱の各金属板（８）の切り口が異極となって互いに吸引し合うように位置させ、これを筒状のハウジング（７）に納め、ハウジング（７）には水の流出口（６）を設け、流入口（１）から流入した水が流入口分流部（２）で複数の細管（５）に分流されて磁石積層柱間を通過する時、磁石が接近しているため磁力の強い磁界を水が速度をもって流れると同時に、方向の異なる多量で強力な磁力線を交互に直角に横切ることにより磁気処理が効果的に行われる水の磁気処理装置。
【請求項２】
磁気処理装置へ供給する水の流入口（１’）に流入口分流部（２’）を接続させ、その流入口分流部（２’）には流入口（１’）の面積に見合う、流入口（１’）の面積より小さな面積を有する複数の分流流入口（３’）を設け、それぞれの分流流入口（３’）に非磁性体の細管（５’）を接続し、複数の細管（５’）を間に挟んで向かい合う永久磁石（４’）のＮ極面と永久磁石（４’）のＳ極面が互いに吸引するように位置させ、これら永久磁石（４’）と隣り合わせて細管（５’）の軸線に沿ってＮ極面とＳ極面の位置を交互に変えた永久磁石（４’）を連続して複数個位置させ、これを筒状のハウジング（７’）に納め、そのハウジング（７’）には水の流出口（６’）を設け、流入口（１’）から流入した水が流入口分流部（２’）で複数の細管（５’）に分流されて永久磁石（４’）間を通過する時、磁石が接近しているため磁力の強い磁界を水が速度をもって流れると同時に、方向の異なる多量で強力な磁力線を交互に直角に横切ることにより磁気処理が効果的に行われる水の磁気処理装置。
【発明の詳細な説明】
【技術分野】
【０００１】  本発明は、給水管、給湯管、冷却水管、空調冷温水管等の内部腐食を防止する水の磁気処理装置に関し、特に、永久磁石の磁力を強めるために流入口に分割部を設け、流入口の面積を変えずに幅の狭い複数の水路に分割し、水路を挟んで向かい合う永久磁石の間隔を狭くすることによって磁力が強くなり、強い磁力線の範囲内のみを水が磁力線に対して直角に通過することによって水を無駄なく磁気処理し、効果を一層確実にし、安価で小型の装置を可能にした水の磁気処理装置に関する。
【背景技術】
【０００２】  磁石を用いて水を磁気処理する装置は従来から種々あった。その原理は水力磁石のＮ極とＳ極の間に存在する磁力線を直角に速度をもって横切る時、ロ−レンツ力によって起電力が生じる磁性流体力学に基づいたものである。
ロ−レンツ効果による起電力を発生させるためには、水がＮ極とＳ極の間にある磁力線を速い速度で直角に横切る効率が高くて磁力が強いほど効果がある。水は入口から出口へ向かって最短距離を流れるが、流れがすべて磁力線を直角に横切るとは限らないので水の流れ方が重要になる。従って、従来の磁気処理装置では、磁石積層柱の周囲を回転しながら磁力線を横切る工夫をしたり、複数の磁石積層柱を異極同士が相対するように間隔を置いて並立させ、それらの間の異極間にある磁力線を直角に横切る工夫がなされてきた。
しかし、様々な工夫にも拘らず磁気処理効果が十分に上がらなかった理由は、螺旋構造体においては流速によって螺旋の角度を変えなければ水が螺旋状に流れない場合もあり、また、並立する磁石積層柱間を流す方法においては、磁石積層柱間が狭いと水の抵抗があり、水が流れにくいため磁石積層柱間の間隔を広げなければならず、広げると磁力線の磁力が弱まる欠点があった。従って磁石積層柱間の間隔を狭くして磁力を高めようとしても間隔を狭くするには限界があった。
また、水が入口から出口へ向かって流れるとき、水は必ずしも磁力の強い磁力線間のみを横切るわけではなく、永久磁石間の少しでも幅の広い部分を流れ、そのような幅の広い部分は当然磁力線の磁力も弱いので、本来有している磁力が１００％活用されないという欠点があった。また、従来の方式では、磁力を強くするため高価な希土類の磁石を使用したり、磁石間を極度に狭くしたものもあったが、水の抵抗が増すので水路を増やすと同時に磁石数も増やさなければならず、重量増と価格増からこの方法にも限界があった。
【発明の開示】
【発明が解決しようとする課題】
【０００４】  安価な永久磁石で強力な磁力を水に与え、安価で水処理効果が高く持続性のある水の磁気処理装置を提供することを第一の課題とする。
従来の磁気処理装置では、磁気処理効果を高め且つその効果を持続させるために強い磁力を必要とした。即ち水の磁気処理の主たる目的は、水分子が構成している構造体において水分子同士を電気的引力で結びつけている水素結合の破断にあるので、電気的に破断するためのロ−レンツ効果による起電力を高めるためにも強い磁力を必要とした。しかしながら水が通過する永久磁石の異極間の幅を狭めると、磁力は強いが水の抵抗が大きくなり、流入量も少なくなるので磁気処理効果を上げるには磁石数を増やさなければならなかった。
これを解決するために、水が通過する永久磁石間の距離を縮めて磁力を高め、狭くて磁力の高い水路のみを水が抵抗なく流れるように流入口から複数の細管に分流して水を誘導し、同時に通過する水が方向の異なる磁力線を交互に連続的に直角に複数回通過するようにした交番磁界と、磁力を高めることによって水が速度をもって通過するときに生じるロ−レンツ効果による起電力とによって、従来の半分の磁石数でもそれ以上の磁気処理効果が得られる構造の磁気処理装置を提供することを第二の課題とする。
【課題を解決するための手段】
【０００５】  本発明は、磁気処理装置へ供給する水の流入口の面積の数分の一から数十分の一の小面積の複数の分流流入口を有する流入口分流部を前記流入口に接続させ、その各分流流入口に接続した複数の細管を向かい合う異極同士の磁石で挟み、更に、水の流れ方向にＮ極面とＳ極面の位置を変えた磁石を連続して位置づけ、その結果細管を挟む磁極が交互に変化しながら細管の軸方向に複数並ぶことになり、流入口から流入した水が複数の小口径の細管に分流されて流れるとき、水は抵抗なく異極磁石間に充満した強磁力で且つ多量の磁力線を横切ることになる。水流方向に交互に位置するＮ極とＳ極の方向の異なる磁力線を水が連続して多数回通過する交番磁界の存在と、磁石のＮ極とＳ極の間に存在する強力な磁力線を水が直角に速度をもって横切るときに生じるロ−レンツ効果による起電力とによって、通過する水分子か水素結合により構成する水構造体は物理的にも電気的にも解きほぐされ、水分子は単分子化され、或いはより小さな構造体にされ、水中に存在する多種のイオンを囲む水和が促進される等水の磁気処理が効果的に行われる。流入口の直径が大きくなり水量が増える場合は細管の数を増やすことによって解決される。細管を挟む磁石の形は円形、角形等、形はこだわらない。
永久磁石は安価で入手し易いフェライト磁石で十分効果がある。フェライト磁石を直列接続で並べ磁極面で細管を挟む場合（請求項２）は、５０ｍｍ角形、または５０ｍｍΦ円形であっても挟まれた細管部分では２０００ガウス以上の磁力が得られ、請求項１で述べた並列接続の磁石棒で細管を挟む場合は、磁極片の異極同士間に飛ぶ磁力は４０００ガウス以上に及ぶので、高価な希土類の磁石でなくても充分に水の磁気処理効果を高めることができる。非磁性体の細管の材質は、厚さが薄くて丈夫なＳＵＳ３０４が望ましいが、その他の材質でも目的を達することができる。細管の断面は円形、角形、楕円形形等、形にはこだわらず多種の量産品があり比較的安価に入手することができる。
本発明は、磁極のＮ極とＳ極を極端に接近させた磁力の強い部分にのみ抵抗なく水を通し、更に、Ｎ極とＳ極の位置を交互に変えながら水の流れ方向に複数個の永久磁石を並べた中に水を通すことによって交番磁界により磁気処理効果を高めるものである。
永久磁石の磁力線の飛ばし方には、磁石の側面を異極同士向かい合わせる場合（図１）と、磁石の面を磁極面同士向かい合わせる場合（図２）とがある。
磁石の側面を用いる場合は、磁石積層柱を構成する磁石の同極同士の間に金属板を挟んで磁極片とし、磁石積層柱の磁極片の切り口がＮ、Ｓ相対するようにして細管を挟み、水の流れに対向させ、向かい合う磁石積層柱の中の磁極が互いに異極同士となるように配置する。
磁極面を用いる場合は、磁極面同士が吸引するように異極面同士で細管を挟み、水の流れに対向させ、向かい合う磁極が互いに異極同士となるように配置する。
これを筒状のハウジングに納め、そのハウジングの一端に流入口を接続させ、他端に流出口を設け、流入口から流入した水が永久磁石間を通過するとき、方向の異なる多量の磁力線を交互に直角に横切ることによって水の磁気処理を行うものである。
【発明の効果】
【０００６】  本発明の磁気処理装置を空調設備の冷温水管、冷却水管等の循環系の配管や給水、給湯等一過水系配管の適所に配設すると、中を通過する水は上述のように位置づけられた磁石が放射する強力で多量の磁力線によって磁気処理される。水量が多い場合は磁石数を増やすことによって対応することができる。異極同士の磁石間の距離が短く磁力の強い磁極間のみを水の抵抗が少なくて無駄なく水を通過させることを可能にした。効果的な磁気処理を行うためには強力な磁力を必要とする。しかし、強い永久磁石はネオビジュ−ムやアルニコのように高価なため、装置の大部分を構成する磁石数を減らさざるをえなくなり、磁石数を減らせば当然交番磁界の数も減ることになり、必然的に磁気処理効果の持続時間は短くなるので交番磁界を増やすためにも安価な磁石で強い磁力が望まれていた。
このため、マンションやオフィスビル用、工場などの大型磁気処理装置は勿論の事、家庭用給水及び工業用の小型磁気処理装置では交番磁界の数は減少し、或いはほとんど行われていない場合もある。
しかし、本発明の流入口分流部を有する磁気処理装置は小形の永久磁石を使用しても強い磁力と多数の交番磁界を有する磁気処理装置を安価に提供することが可能である。水が速度をもって磁力線を横切る時のロ−レンツ効果による起電力は磁力が強い方が大きい。水の磁気処理の主たる目的は水の構造体に於て水分子同士を結び付けている水素結合の破断である。ロ−レンツ効果による起電力で電気的に水素結合を破断することも重要であるが、むしろ、主として複数回にわたって水が通過する交番磁界が有効であり、磁力の強い磁力線の多い交番磁界の存在の方がより重要である。交番磁界を構成する磁力線は、磁力が強いほど磁気処理効果は高い。即ち、水分子は主に水素結合で結合した構造体を形成しているが、水分子は双極子能率をもっているので、磁界を通過する時に水分子の酸素側は負の電荷を有しているために磁石のＮ極側に吸い寄せられ、水素側は正の電荷を有しているためＳ極側に吸い寄せられる。しかし、本装置では磁極が交互にＮ、Ｓ逆転しながら水の流れ方向に並んでいるため磁力線を横ぎる水分子は絶えず方向を変え回転を繰り返さざるをえなくなり、水分子を結び付けている水素結合は物理的に切断されることになる。水素結合は静電引力による結合であるから起電力が強ければより効果的であるが、磁力の強い交番磁界を通過する水分子は度重なる回転運動により物理的に切り離され、水の単分子化、或いはより小さい構造体にされる。水の単分子化が増えると水和が促進され、磁鉄鉱による防錆被膜の生成、スケ−ルの付着防止などが促進される利点が生じる。
磁気処理された水が通過する給水管や空調冷温水管を構成する鋼管の内壁表面が防錆効果の高い磁鉄鉱に変化する理由は、最初に鋼管内壁から溶出した二価の鉄イオンが磁気処理によって単分子化した水分子の水和によって囲まれ、それ以上の酸化が阻止され、二価の鉄イオンの増加から１個の二価の鉄イオンと２個の三価の鉄イオンの化合による磁鉄鉱の増加が促進されるためであり、これにより防錆効果を生じるものである。
また、同じ理由で水分子がカルシュウムイオンを十重二十重に囲む水和を強化するので、カルシウムイオンの管壁への付着が阻止され、既存のスケ−ルを剥離除去することは出来ないが、スケ−ル付着を阻止することによって配管の障害を防止する。磁気処理された水の構造は磁気処理されない水の構造より細かく、細胞への浸透力が高く細胞内に入りやすい性質があり、生物（動植物）が必要とする水として有用である。
この装置の特徴は、供給する水の流入口に隣接して流入口分流部を設け、この部分で流入する水を複数の細管に分流するため個々の水路の幅が小さく、異極で向かい合わせた永久磁石間の距離が最小限に接近しているので、磁力が最も強い場所を水が抵抗なく適切な速度で通過することにある。水の通路を挟む異極磁石間の距離が狭いので磁力が強く、しかも水路に沿って複数の交番磁界が構成されているので、水は全く抵抗がなく速度をもって流れるので磁気処理の効果が高まる。つまり、異極磁石間を流れる水分子は、大量で強力な磁力線の束を等間隔に磁極方向を変えながら横切るため交番磁界による効果が高く、また、ロ−レンツ効果による起電力も量が多い。
安価な永久磁石を用いても強力な磁力線を放出するので、高価な希土類の永久磁石を使用しなくても、また大量の磁石を使用しくても、少ない磁石で高い磁気処理効果が得られ、永久磁石による小さな設備で大容量の水の磁気処理が可能となる。磁気処理により構造が小さくなった水も時間の経過とともに再び水素結合によって水本来の形に戻るものであるが、磁力が強く交番磁界の数が多いほど磁気処理効果が高くなると同時に持続性も伸びるので元の形に戻りにくくなり、防錆効果が高まる。また、流入口から供給された水は強制的に細管に分流され、すべて磁力の高い部分のみを通過するので、水の磁気処理が無駄なく行われる効果がある。
【発明を実施するための最良の形態】
【０００７】  本装置を給水、給湯などの一過水糸配管や空調設備の冷温水管、冷却水管などの循環系の配管の適所に配設すると、中を通過する水は永久磁石が放射する強力で多量の磁力線によって磁気処理される。水量が多い場合は磁石の数を増やすことによって対応することが出来る。これによって異極同士の磁石間の距離が短いので磁力の強い磁石間のみを抵抗少なく無駄なく水を通過させることが可能となった。
効果的な磁気処理を行うためには強力な磁力を必要とするが、従来のものでは現実的には不可能であった。磁力の強い永久磁石はネオビジュ−ムやアルニコのように高価である上、ネオビジュ−ムのように腐食し易いため、ステンレスカバ−にしろ、防錆コ−ティングにしろ費用が嵩み、それでも耐久性に難があり、価格面ばかりでなく実用的にも無理があった。結果的に安価なフェライト磁石が多用されることとなったが、販売競争の激化から装置の大部分を構成する磁石数を減らすようになり、磁石数が減れば当然交番磁界の数も減り、必然的に磁気処理効果がほとんどない装置が出回り、需要が激減している現状である。水の磁気処理には最低でも２０００ガウス以上を必要とし、磁石の数は多ければ多いほど効果が高く、交番磁界数が多いほど効果的な時間が長いので安価で強い磁力の強いものが望まれていた。このため家庭用給水及び工業用の小型磁気処理装置では交番磁界の数が少ないか或いはほとんど行われていない場合が多いので実用的な使用に耐える磁気処理装置は現在ほとんど無いといっても過言ではない。
それに対して本発明の流入口分流部を有する磁気処理装置は、小型の永久磁石を使用しても強い磁力と多数の交番磁界を生じさせるので磁気処理を安価に提供できる。
本発明の装置で磁気処理された水は、それが通過する給水管や、空調設備の冷温水管を構成する鋼管の内壁表面を防錆効果の高い磁鉄鋼に変化させることが可能であり、また、同じ原理でスケ−ル発生による配管障害をを防止することができる。磁気処理された水の構造は細かく、細胞への浸透力が高く細胞に入り易い性質があり、生物が必要とする水の生成装置としても有用である。
永久磁石の異極面同士で細管を挟む場合（請求項２）は、装置の組立が簡単で安価に製作できる上、軽量なので取り付け工事なしに蛇口に一般ホ−スで取り付けが可能な携帯用磁気処理装置として農業、養魚、医療等多方面での利用が可能であり、家庭用としても交番磁界の多い磁気処理装置を安価に提供することができる。
【実施例１】
【０００８】  この実施例は磁力線を飛ばす磁石積層柱を構成する各々の永久磁石の間に金属板を挟みながら積み上げた２本の磁石積層柱を向かい合わせて細管を挟み、金属板の切り口から放射される磁力線で水を磁気処理する方法を装置化したものである。これは処理する水質の硬度が高くて磁気処理する配管距離が長い場合に有効である。ここで本発明を図面により説明する。
図１は請求項１に記載の磁気処理装置の斜視図である。流入口１より流入した水は、流入口分流部２が有する４個の分流流入口３に接続した細管５に分流され、それら細管５を２本の磁石積層柱で挟み、その両端を固定バンド９で固定する。２本の磁石積層柱間には磁極片８からＮ極、Ｓ極の磁力線が交互に飛びかう交番磁極が形成される。これを筒状のハウジング７に納める。この筒状ハウジング７の一端に流入口１を接続させ、他端には流出口６を設ける。流入口１から流入した水は、磁石４の対向するＮ極、Ｓ極が接近しているために磁力の強い永久磁石４間に位置する細管５を通って磁気処理され、流出口６から流出する。
図１−１は、流入した水を、流入口１の面積に見合う、その流入口の面積より小さな面積を有する４個の分流流入口３に分流する流入口分流部２を示す。
図１−２は細管を挟む磁石積層柱の組み立て分解図である。磁性体の金属板８を磁極片とし、それを間に挟んだ永久磁石４のＮ極面同士を向かい合わせ、そのＮ極面の裏のＳ極面に同様に磁性体の金属板８を磁極片として間に挟んで永久磁石のＳ極面同士を向かい合わせ、同様に金属板８を挟みながら磁極を交互に変えて４個の永久磁石を縦方向に積層させ、永久磁石のボルト孔１１にボルトナット１０を差し込んで固定し、一本の磁石積層柱とする。
図１−３は永久磁石４のＮ極同士で金属板８を挟むとき切り口からＮ極の磁力線が飛び、Ｓ極同士で挟むとき切り口からＳ極の磁力線が飛ぶ状態を示すもので、矢印は磁力線の方向を示す。磁力線は最短距離に位置する異極へ飛ぶので、細管５の中を流れる水は磁力線を直角に横切ることとなり、同時に異なる方向の磁力線を交互に横切る交番磁界を通過することとなる。
この実施例では一本の磁石積層柱を構成する永久磁石は８個積層しているがその数はこれに制限されるものではなく、数は多いほど処理効果を高めることができる。相対する磁石積層柱の金属板８の切り口からは強力な磁力線が放射され、それを横切る水は水分子の水素結合が物理的にも電気的にも遮断されて効果的な磁気処理が行われるので、特に強い磁石を使用しなくても磁気処理効果を高めることができる。ここでは磁石の積層方法を四角形の磁石で図示しているが、磁石の形は丸形でも楕円形でも効果に大きな差はない。
【実施例２】
【０００９】  実施例１で説明した磁気処理は磁石積層柱を構成する各々の永久磁石の間に金属板を挟みながら積み上げた複数の磁石積層柱を向かい合わせてそれらの間に細管を挟み、金属板の切り口から放射される磁力線で水を磁気処理する方法であるが、実施例２は異極同士が吸引しあうように複数の永久磁石の磁極面を向かい合わせてそれらの間に細管を挟み、磁極面から放出される磁力線で水を磁気処理する方法を装置化したものである。
実施例１の磁気処理装置は磁力の量は少ないが、強力なので磁気処理する水質の硬度が高い場合や磁気処理する配管距離が長い場合に有効であるが、実施例２の磁気処理装置は磁力の量は多いが、磁力は実施例１より弱い。しかし、実施例２の装置は組立が簡単で安価に製作できる利点があり、軽量なので取り付け工事なしに蛇口に一般ホ−スで取り付けが可能な携帯用磁気処理装置として農業、養魚、医療用をはじめ家庭用でも使用できる利点がある。
本発明を図面により説明する。図２は請求項２に述べた磁気処理装置の要部を示す斜視図である。図２の流入口１’より流入した水は、流入口分流部２’にある複数の分流流入口３’を経て永久磁石４’のＮ極面とＳ極面に挟まれた細管５’の中を流れる。細管５’を挟む永久磁石４’の並べ方は、磁極面のＮ極、Ｓ極入れ替えながら永久磁石４’を直列方向に接続させ、同一構造に直列接続された永久磁石４’を細管５’を挟んで向かい合わせ、向かい合う磁石の面同士が異極となって引き合うように配置する。そのとき磁力線は永久磁石４’のＮ極面から向かい合う永久磁石４’のＳ極面へ放射され、細管５’の中を流れる水は流入口１’から流出口６’へ流れるとき、各永久磁石４’の磁極面ＮからＳへ放射される大量の磁力線を直角に横切ることとなり、同時に方向の異なる磁力線を交互に横切る交番磁界を通過することとなり磁気処理が効果的に行われる。
この磁石と細管を組み立てたものを筒状のハウジング７’に納め、ハウジング７’の一端には水の流入口１’を接続し、他端には流出口６’を設ける。この磁気処理装置では、流入した水が細管５’に分流され、永久磁石４’間を通過するとき、交互に方向の変わる多量の磁力線を水が直角に横切ることにより磁気処理が効果的に行われる。
図２−１は流入した水を流入口１’の面積に見合う、流入口１’の面積より小さな面積を有する４個の分流流入口３’に分流する流入口分流部２’を示す。流入口１’より流入した水は流入口分流部２’が有する４個の分流流入口３’に接続した細管５’に分流され、磁石４’のＮ極、Ｓ極が接近しているため磁力の強い磁石間の隙間へ送り込まれる。
図２−２は細管５’を挟む永久磁石４’の組み立て分解図である。永久磁石４’のＮ極面と永久磁石４’のＳ極面を向かい合わせ、この永久磁石４’と隣り合わせて直列方向にＮ極面とＳ極面の位置を変えた永久磁石４’を位置させ、細管５’を挟んでボルトナット１０’で締め上げ固定することとなる。
図２−３は磁力線と直角に交わる細管５’の位置関係と、永久磁石４’の磁極面から飛ぶ磁力線の方向が異なる交番磁界とを示し、矢印はＮ極からＳ極へ飛ぶ磁力線を表す。
この磁気処理装置は給水、給湯等飲料水用一過水系配管、空調冷温水管、装置、機器の得冷却水用の循環系配管に使用する。このように本発明は、永久磁石の磁力線を最も多く放射する面を異極同士向かい合わせた構造のため多量の磁力線が存在する磁界が形成されることとなり、この多い磁力線で複数の交番磁界を構成することに特徴がある。また、永久磁石の磁力線量の多い面を左右に隣接させているため磁石の量が少なく小型ながら磁気処理効果が高く、飲料水用水処理装置としては長時間の磁気処理効果の持続が可能となる。実施例２では永久磁石を各４個向かい合わせているが、その数はこれに制限されるものではなく、数は多いほど磁気処理効果は高い。相対する磁石表面から強力な磁力線が放射され、それを横切る水は水分子の水素結合が物理的にも電気的にも遮断されて効果的な磁気処理が行われるので、特に強い磁石を使用しなくても磁気処理効果を高めることができる。磁石の形はここでは四角形の磁石で示しているが、丸形でも楕円形でも効果に大きな差はない。
【図面の簡単な説明】
【００１０】
【図１】  磁石積層柱を構成する各々の永久磁石の間に金属板を挟みながら積み上げた２本の磁石積層柱を向かい合わせてその間に細管を挟み、金属板の切り口から放射される磁力線で水を磁気処理する本発明の磁気処理装置の要部を示す斜視図である。
【図１−１】  流入した水を流入口１の面積に見合う、流入口１の面積より小さな面積を有する４個の分流流入口３に分流する流入口分流部２の内部構造の透視斜視図である。
【図１−２】  磁石積層柱の組み立て分解図である。
【図１−３】  磁力線と直角に交わる細管の位置関係と金属板の切り口から飛ぶ磁力線の方向が異なる交番磁界とを示す概念図である。
【図２】  永久磁石の異極面を向かい合わせて細管を挟み、異極面から放射される磁力線で水を磁気処理する本発明の他の磁気処理装置の要部を示す斜視図である。
【図２−１】  流入した水を流入口１’の面積に見合う、流入口１’の面積より小さな面積を有する４個の分流流入口３’に分流する流入口分流部２’の内部構造の透視斜視図である。
【図２−２】  細管５’を挟む永久磁石の組み立て分解図である。
【図２−３】  磁力線とそれに直角に交わる細管との位置関係と、永久磁石の磁極面から飛ぶ磁力線の方向が異なる交番磁界とを示す概念図である。
【図３−ａ】  図１に示す本発明の磁気処理装置の正面図である。
【図３−ｂ】  図１の磁気処理装置の平面図である。
【図３−１】  図１の磁気処理装置の流入側から見た端面図である。
【図４−ａ】  図２に示す本発明の他の磁気処理装置の正面図である。
【図４−ｂ】  図２の磁気処理装置の平面図である。
【図４−１】  図２の磁気処理装置の流入側から見た端面図である。
【符号の説明】
【００１１】１、１’    流入口                    ２、２’    流入口分流部
３、３’    分流流入口                ４、４’    永久磁石
５、５’    細管                      ６、６’    流出口
７、７’    ハウジング                ８          金属板
９          固定バンド                １０、１０’ボルトナット
１１、１１’ボルト孔
【図１】
2007069192.tif 000003
【図１−１】
2007069192.tif 000004
【図１−２】
2007069192.tif 000005
【図１−３】
2007069192.tif 000006
【図２】
2007069192.tif 000007
【図２−１】
2007069192.tif 000008
【図２−２】
2007069192.tif 000009
【図２−３】
2007069192.tif 000010
【図３−ａ】
2007069192.tif 000011
【図３−ｂ】
2007069192.tif 000012
【図３−１】
2007069192.tif 000013
【図４−ａ】
2007069192.tif 000014
【図４−ｂ】
2007069192.tif 000015
【図４−１】
2007069192.tif 000016